(57)【要約】【課題】複数個の連節ブロックを一度に吊り上げて施工面に搬送し、据付けることができ、作業効率および作業安全性に優れる、連節ブロック用の吊具を提供する。【解決手段】複数個の連節ブロック１の側面の挿通孔４に差込まれる差込み部材１２を、内面に備える長尺な吊具本体１１と、吊具本体の上面に立設され、吊上げワイヤー２５が掛止される左右一対の第１支柱１３と、第１支柱に対し回動自在に支持される第１回動部材１５と、第１回動部材の先端に水平支持されるブロック支持バー１７と、吊具本体の上面に立設され、第２回動部材１８を回動自在に支持する第２支柱１４と、第２回動部材の先端に設けられ、ブロック支持バーのロック用穴２０に挿入可能なロックピン２１とを具備する構成とする。【選択図】図６
2008222411.tif 000002
【特許請求の範囲】
【請求項１】
複数個の連節ブロックを一度に吊上げる吊具であって、
複数個の連節ブロックの側面に開設された挿通孔に差込まれる差込み部材を、内面に備える長尺な吊具本体と、
吊具本体の上面に立設され、吊上げワイヤーが掛止される左右一対の第１支柱と、
各々の第１支柱に対し回動自在に支持される第１回動部材と、
各々の第１回動部材の先端に水平支持されるブロック支持バーと、
吊具本体の上面に立設され、第２回動部材を回動自在に支持する第２支柱と、
第２回動部材の先端に設けられ、前記ブロック支持バーに係止して、連節ブロックに対する、吊具本体の差込み部材およびブロック支持バーの支持状態をロックするロック部材とを具備してなり、
複数個の連節ブロックの側面の各挿通孔に吊具本体の差込み部材を差込むと共に、第１回動部材を回動させて、各々の連節ブロックの、吊具本体と反対側の側面にブロック支持バーを当接させ、第２回動部材を回動させて、ブロック支持バーに対しロック部材を係止し、もって連節ブロックに対する、吊具本体の差込み部材およびブロック支持バーの支持状態をロックし、
同ロック状態で、複数個の連節ブロックを吊上げるように構成されていることを特徴とする連節ブロック用の吊具。
【請求項２】
前記ロック部材は、ブロック支持バーの上面に開設されたロック用穴に挿入されるロックピンであり、ブロック支持バーの、ロック用穴位置における回動軌跡の中心位置と、ロックピンの回動軌跡の中心位置とが異なることを特徴とする請求項１記載の連節ブロック用の吊具。
【請求項３】
ブロック支持バーの、ロック用穴位置における回動軌跡の中心位置が、ロックピンの回動軌跡の中心位置よりも上方位置にあることを特徴とする請求項２記載の連節ブロック用の吊具。
【請求項４】
ブロック支持バーに対し連結部材の一端を、第２回動部材に対し連結部材の他端を、各々掛止可能として、第２回動部材の、ロック部材のロック解除方向への回動に伴い、ブロック支持バーが引上げられる構成であることを特徴とする請求項１ないし請求項３記載の連節ブロック用の吊具。
【請求項５】
請求項１記載の連節ブロック用の吊具を用いて、
複数個の連節ブロックの側面の各挿通孔に吊具本体の差込み部材を差込むと共に、第１回動部材を回動させて、各々の連節ブロックの、吊具本体と反対側の側面にブロック支持バーを当接させ、しかる後、第２回動部材を回動させると共に、ブロック支持バーに対しロック部材を係止して、連節ブロックに対する、吊具本体の差込み部材およびブロック支持バーの支持状態をロックする工程と、
同ロック状態で、複数個の連節ブロックを、吊具と共に吊上げワイヤーで吊上げ、施工対象の法面の所定位置に搬送した後、複数個の連節ブロックから吊具を外す工程と、
各連節ブロックの挿通孔に線状の連結部材を挿通して、各連節ブロックを連結する工程と、
を有することを特徴とする連節ブロックの施工方法。
【発明の詳細な説明】
【技術分野】
【０００１】
本発明は、河川の護岸、法面被覆、河床の床固め、灌漑排水路等に用いられる連節ブロックを吊り上げるための吊具に関するものである。
【背景技術】
【０００２】
河川の護岸・法面被覆に用いられるブロックとして連節ブロックがある（例えば特許文献１参照）。連節ブロックは、ブロック同士を鉄筋で連結して用いるもので、各ブロックに設けられた挿通孔に鉄筋を通してブロック同士を上下方向あるいは横方向に連結し、連結されたブロック全体の重量を利用して法面や河川敷に固定配置されるようになっている。
【特許文献１】特開２００４−１３２１０１号公報
【発明の開示】
【発明が解決しようとする課題】
【０００３】
ところで、連節ブロックの施工は、図９に示すように、法面６０にマットやシートを敷設して、法面６０の上から作業者Ｍが手作業でロープ５を使って連節ブロック１を１個ずつ法面６０に沿ってマットやシート上を滑らせ、１個ずつ連結鉄筋６で連結するようにしている。連節ブロックは重く（単体で数十ｋｇ）、作業者が手作業でロープを使って１個ずつ降ろしていく作業は、いかにも作業効率が悪く、また、作業の安全面でも問題があった。
【０００４】
本発明は、前記事情に鑑みてなされたもので、第１の目的は、複数個の連節ブロックを一度に吊り上げて施工面に搬送し、据付けることができ、作業効率および作業安全性に優れる、連節ブロック用の吊具を提供することにある。また、第２の目的は、構造が簡単な、連節ブロック用の吊具を提供することにある。
【０００５】
また、第３の目的は、連節ブロック用の吊具を用いた、連節ブロックの施工方法を提供することにある。
【課題を解決するための手段】
【０００６】
上記課題を解決するために、本発明の請求項１に係る連節ブロック用の吊具は、
複数個の連節ブロックを一度に吊上げる吊具であって、
複数個の連節ブロックの側面に開設された挿通孔に差込まれる差込み部材を、内面に備える長尺な吊具本体と、
吊具本体の上面に立設され、吊上げワイヤーが掛止される左右一対の第１支柱と、
各々の第１支柱に対し回動自在に支持される第１回動部材と、
各々の第１回動部材の先端に水平支持されるブロック支持バーと、
吊具本体の上面に立設され、第２回動部材を回動自在に支持する第２支柱と、
第２回動部材の先端に設けられ、前記ブロック支持バーに係止して、連節ブロックに対する、吊具本体の差込み部材およびブロック支持バーの支持状態をロックするロック部材とを具備してなり、
複数個の連節ブロックの側面の各挿通孔に吊具本体の差込み部材を差込むと共に、第１回動部材を回動させて、各々の連節ブロックの、吊具本体と反対側の側面にブロック支持バーを当接させ、第２回動部材を回動させて、ブロック支持バーに対しロック部材を係止し、連節ブロックに対する、吊具本体の差込み部材およびブロック支持バーの支持状態をロックし、
同ロック状態で、複数個の連節ブロックを吊上げるように構成されていることを特徴とする。
【０００７】
本発明の請求項２記載の連節ブロック用の吊具は、前記ロック部材が、ブロック支持バーの上面に開設されたロック用穴に挿入されるロックピンであり、ブロック支持バーの、ロック用穴位置における回動軌跡の中心位置と、ロックピンの回動軌跡の中心位置とが異なることを特徴とする。
【０００８】
本発明の請求項３記載の連節ブロック用の吊具は、ブロック支持バーの、ロック用穴位置における回動軌跡の中心位置が、ロックピンの回動軌跡の中心位置よりも上方位置にあることを特徴とする。
【０００９】
本発明の請求項４記載の連節ブロック用の吊具は、ブロック支持バーに対し連結部材の一端を、第２回動部材に対し連結部材の他端を、各々掛止可能として、第２回動部材の、ロック部材のロック解除方向への回動に伴い、ブロック支持バーが引上げられる構成であることを特徴とする。
【００１０】
本発明の請求項５記載の連節ブロック用の吊具は、請求項１記載の連節ブロック用の吊具を用いて、
複数個の連節ブロックの側面の各挿通孔に吊具本体の差込み部材を差込むと共に、第１回動部材を回動させて、各々の連節ブロックの、吊具本体と反対側の側面にブロック支持バーを当接させ、しかる後、第２回動部材を回動させると共に、ブロック支持バーに対しロック部材を係止して、連節ブロックに対する、吊具本体の差込み部材およびブロック支持バーの支持状態をロックする工程と、
同ロック状態で、複数個の連節ブロックを、吊具と共に吊上げワイヤーで吊上げ、施工対象の法面の所定位置に搬送した後、複数個の連節ブロックから吊具を外す工程と、
各連節ブロックの挿通孔に線状の連結部材を挿通して、各連節ブロックを連結する工程と、
を有することを特徴とする。
【発明の効果】
【００１１】
以上説明したように、本発明に係る連節ブロック用の吊具によると、連節ブロックの側面に開設された挿通孔を利用して、複数個の連節ブロックを一度に吊り上げて施工面に搬送し、据付けることができ、連節ブロックの施工時の作業効率と安全性に優れるという効果を奏する。
【００１２】
また、吊具の構造を簡単なものとすることができ、吊具の製作コストを抑えることができるという効果を奏する。
【００１３】
さらに、本発明に係る連節ブロックの施工方法によると、上記連節ブロック用の吊具を用いることで、連節ブロックの施工時の作業効率と安全性に優れると共に、施工コストの大幅低減化を図れるという効果を奏する。
【発明を実施するための最良の形態】
【００１４】
以下、本発明の実施の形態を、図面を参照して説明する。
【００１５】
図１ないし図８は本発明の一実施形態を示すもので、図１は本発明に係る吊具の全体斜視図、図２は複数の連節ブロックに対し本発明の吊具をセットした状態を示す平面図、図３は複数の連節ブロックを本吊具を用いて吊上げる前の状態を示す斜視図をそれぞれ示している。これらの図において、符号１は連節ブロック、符号１０は本発明に係る吊具を示している。
【００１６】
連節ブロック１は、略四角台形状をなすとともに、ブロック基礎部２の上部に凸部３が形成された形状をしている。同連節ブロック１には、ブロック基礎部２の対向する前後の側面に開口し、ブロック底面と平行に延びる２箇所の挿通孔４が設けられている。かかる連節ブロック１は、２箇所の挿通孔４にそれぞれ図９に示す連結鉄筋６を挿通させて複数個または多数個の連節ブロック１を連結するようになっている。
【００１７】
吊具１０は、図１に示すように、鋼製の長尺な角筒材からなる吊具本体１１を有する。吊具本体１１の前面には、連節ブロック１の各挿通孔４に挿入可能な１組の、異型棒鋼等の棒状の差込み部材１２が溶接等の手段により取付固定されている。この１組の差込み部材１２は、一度に吊上げる連節ブロック１の数だけ設けられ、図示例の場合、５個の連節ブロック１の数だけ設けられている。なお、連節ブロック１の数は２個以上であれば、任意である。
【００１８】
吊具本体１１の上面には、両端近くにＬ型鋼からなる第１支柱１３，１３が立設され、中央位置に同じくＬ型鋼からなる第２支柱１４が立設されている。中央の第２支柱１４は、第１支柱１３の高さの約２倍以上の高さを有している。これら第１支柱１３，第２支柱１４は、吊具本体１１の上面に対し溶接等の手段により取付固定されている。
【００１９】
各々の第１支柱１３の上端近くには、Ｌ型鋼からなる回動部材１５の一端が連結ボルト１６を介して回動自在に取付けられている。それら回動部材１５の他端には、鋼製の長尺な円筒材からなるブロック支持バー１７が溶接等の手段により取付固定されている。このブロック支持バー１７は、吊具本体１１と略同一の長さを有して吊具本体１１と平行に配置され、吊具本体１１との間で、図２および図３に示すように、連節ブロック１を挟んで、吊上げ時に連節ブロック１を支持するものである。
【００２０】
第２支柱１４の上端には、Ｌ型鋼からなる回動部材１８の一端が連結ボルト１９を介して回動自在に取付けられている。回動部材１８の他端には、前記ブロック支持バー１７の上面に開設されたロック用穴２０に対し挿入されてロック可能なロックピン２１の一端が溶接等の手段により取付固定されている。ロックピン２１は、回動部材１８の軸方向に対して直角下向きに設けられている。
【００２１】
各々の第１支柱１３の上端には、吊上用のワイヤー２５を掛けるためのフック２２が取付けられている。また、ブロック支持バー１７のロック用穴２０の近くには、チェーン２３の一端が取付けられ、チェーン２３の他端は回動部材１８の先端に取付固定された水平掛止部材２４に対し掛止可能とされている。
【００２２】
次に、上記構成の吊具１０の使用方法および作用について説明する。
【００２３】
まず、複数個（図示例では５個）直列に並べられた連節ブロック１に対し、吊具１０をセットする。図２および図３は、吊具１０をセット完了した状態を示している。最初に、吊具１０の、ブロック支持バー１７を引き上げた状態で、吊具本体１１から内側に突出する差込み部材１２を、各連節ブロック１の対面する挿通孔４にそれぞれ深く挿入し、各連節ブロック１に対し吊具本体１１を位置決め配置する。
【００２４】
次に、図４に示すように、回動部材１５を図の反時計回りに回動させて、ブロック支持バー１７を下して、各連節ブロック１の、吊具本体１１とは反対側の側面に当て、その状態で、図５に示すように、回動部材１８を図の反時計回りに回動させて、中央のアーム部材１８のロックピン２１をブロック支持バー１７のロック用穴２０に対し挿入し、各連節ブロック１に対しブロック支持バー１７をロックする。これにより、各連節ブロック１に対する、吊具本体１１の差込み部材１２およびブロック支持バー１７の支持状態がロックされる。これにより、吊具１０が各連節ブロック１にセットされ、吊上げの準備が完了する。
【００２５】
次に、図６に示すように、吊上げ用のワイヤー２５で、複数個の連節ブロック１を、吊具１０ごと、一度に吊り上げる。ワイヤー２５は、図７に示すように、クレーン車５０の旋回アーム５１の先端から延びており、クレーン車５０の操作により、複数個の連節ブロック１を、吊具１０ごと、一度に吊り上げ、法面６０に沿って搬送し、法面６０の所定位置に降ろす。
【００２６】
法面６０の所定位置に降ろしたら、回動部材１８を、第２支柱１４上端の連結ボルト１９回りに図７の時計回りに回動させ、ロックピン２１をロック用穴２０から抜き取り、各連節ブロック１に対する、吊具本体１１の差込み部材１２およびブロック支持バー１７のロック状態を一度に解除する。図１に示すチェーン２３を回動部材１８の水平掛止部材２４に掛止すれば、回動部材１８を起すだけで、ブロック支持バー１７も連動して引上げられる。
【００２７】
後は、各連節ブロック１の挿通孔４から吊具本体１１の各差込み部材１２を抜き取り、クレーン車５０により、吊具１０を吊上げて元の位置に戻し、次の連節ブロック１の吊り上げ作業に備える。
【００２８】
本実施形態の吊具１０によると、図６に示すように、連節ブロック１の吊上げ時には、挿通孔４に差込み部材１２が挿入された吊具本体１１と、ブロック支持バー１７とにより、連節ブロック１が支持される。
【００２９】
同吊具１０は、ブロック支持バー１７の、ロック用穴２０位置における回動軌跡Ｋ１の中心位置Ｏ１と、ロックピン２１の回動軌跡Ｋ２の中心位置Ｏ２が異なるから、ロックピン２１により、ブロック支持バー１７の、引上げ方向（図８の時計回り方向）への回動が規制される。その結果、ロックピン２１をブロック支持バー１７のロック用穴２０に挿入するだけで、ブロック支持バー１７が引上げ不可にロックされ、図６に示す吊上げ時の、連節ブロック１に対する、吊具本体１１とブロック支持バー１７の支持状態を確実にロックできる。
【００３０】
クレーン車５０の操作により、複数個の連節ブロック１を、吊具１０を用いて、法面６０に一度に据え付けることができ、従来のやり方に比べて、連節ブロック１の施工を効率よく行なえるし、作業の安全性を確保できる。
【実施例】
【００３１】
図９に示す従来のやり方では法面への連節ブロックの据付けが１日あたり６００個で、その作業を２０人〜３０人で行っていたのに対し、本発明の吊具を用いると、１日あたり８００個〜１００００個を、５人の作業で行うことができた。これにより、作業時間が大幅に短縮されること、施工コストが大幅にダウンされること、安全作業が確保できることが確認できた。
【産業上の利用可能性】
【００３２】
本発明に係る連節ブロック用の吊具は、複数個の連節ブロックを一度に吊上げることのできる吊具として、河川の護岸、法面被覆、河川の床固め等に、幅広く利用可能である。
【図面の簡単な説明】
【００３３】
【図１】本発明に係る連節ブロック用の吊具を示す斜視図、
【図２】複数個の連節ブロックに対し図１の吊具をセットした状態を示す平面図、
【図３】図２に示す吊具のセット状態からワイヤーで吊上げる前の状態を示す斜視図、
【図４】連節ブロックの挿通孔に吊具本体の差込み部材を挿入すると共に、連節ブロックに対しブロック支持バーを下した状態を示す側面図、
【図５】図４に示す状態から、ブロック支持バーのロック用穴にロックピンを挿入して、連結ブロックに対する吊具本体およびブロック支持バーの支持状態をロックした状態を示す側面図、
【図６】図５に示すロック状態から、複数個の連節ブロックを吊上げる状態を示す側面図、
【図７】クレーン車の操作により、吊具を用いて複数個の連節ブロックを法面の所定位置に据え付ける作業を示す全体図、
【図８】ロックピンによるロック作用を説明するための図、
【図９】従来の方法を示す説明図である。
【符号の説明】
【００３４】
１  連節ブロック
２  ブロック基礎部
３  凸部
４  挿通孔
５  ロープ
６  連結鉄筋
１０  吊具
１１  吊具本体
１２  差込み部材
１３  第１支柱
１４  第２支柱
１５，１８  回動部材
１６，１９  連結ボルト
１７  ブロック支持バー
２０  ロック用穴
２１  ロックピン（ロック部材）
２２  フック
２３  チェーン
２４  水平掛止部材
２５  ワイヤー
５０  クレーン車
５１  旋回アーム
６０  法面
Ｋ１  ブロック支持バーの、ロック用穴位置における回動軌跡
Ｋ２  ロックピンの回動軌跡
Ｍ  作業者
Ｏ１  回動軌跡Ｋ１の中心
Ｏ２  回動軌跡Ｋ２の中心
【図１】
2008222411.tif 000003
【図２】
2008222411.tif 000004
【図３】
2008222411.tif 000005
【図４】
2008222411.tif 000006
【図５】
2008222411.tif 000007
【図６】
2008222411.tif 000008
【図７】
2008222411.tif 000009
【図８】
2008222411.tif 000010
【図９】
2008222411.tif 000011
【手続補正書】
【提出日】平成19年6月18日(2007.6.18)
【手続補正１】
【補正対象書類名】特許請求の範囲
【補正対象項目名】全文
【補正方法】変更
【補正の内容】
【特許請求の範囲】
【請求項１】
ブロック基礎部の上部に凸部が形成された形状をしている、単体で数十ｋｇの複数個の連節ブロックを一度に吊上げる吊具であって、
複数個の連節ブロックにおけるブロック基礎部の対向する前後の側面に開設された各挿通孔に差込まれる差込み部材を、内面に備える長尺な吊具本体と、
吊具本体の上面に立設され、吊上げワイヤーが掛止される左右一対の第１支柱と、
各々の第１支柱の上端に対し連結ボルトを介して回動自在に支持される第１回動部材と、
各々の第１回動部材の先端に水平支持される、長尺な円筒材からなるブロック支持バーと、
吊具本体の上面に立設され、上端に連結ボルトを介して第２回動部材を回動自在に支持する第２支柱と、
第２回動部材の先端に設けられ、前記ブロック支持バーの上面に開設されたロック用穴に挿入されて係止し、連節ブロックに対するブロック支持バーの支持状態をロックするロックピンとを具備してなり、
ブロック支持バーの、ロック用穴位置における回動軌跡の中心位置となる第１回動部材側の連結ボルトよりも、ロックピンの回動軌跡の中心位置となる第２回動部材側の連結ボルトが上方位置にあり、
複数個の連節ブロックの側面の各挿通孔に吊具本体の差込み部材を差込むと共に、第１回動部材を回動させて、各々の連節ブロックの、吊具本体と反対側のブロック基礎部の上部とその上部の凸部の側面に長尺な円筒材からなるブロック支持バーを当接させ、第２回動部材を回動させて、ブロック支持バーのロック用穴に対しロックピンを挿入して係止し、もって、各連節ブロックに対するブロック支持バーの支持状態をロックし、
同ロック状態で、複数個の連節ブロックを吊上げるように構成されていることを特徴とする連節ブロックの吊具。
【請求項２】
ブロック支持バーに対し連結部材の一端を、第２回動部材の途中に対し連結部材の他端を、各々掛止可能として、第２回動部材の、ロック部材のロック解除方向への回動に伴い、ブロック支持バーが引上げられる構成であることを特徴とする請求項１記載の連節ブロックの吊具。
【請求項３】
請求項１記載の連節ブロックの吊具を用いて、
ブロック基礎部の上部に凸部が形成された形状をしている、単体で数十ｋｇの複数個の連節ブロックの側面の各挿通孔に吊具本体の差込み部材を差込むと共に、第１回動部材を回動させて、各々の連節ブロックの、吊具本体と反対側のブロック基礎部の上部とその上部の凸部の側面に長尺な円筒材からなるブロック支持バーを当接させ、しかる後、第２回動部材を回動させると共に、ブロック支持バーのロック用穴に対しロックピンを挿入して係止して、各連節ブロックに対するブロック支持バーの支持状態をロックする工程と、
同ロック状態で、複数個の連節ブロックを吊具と共に吊上げワイヤーで吊上げ、施工対象の法面の所定位置に搬送し、法面の所定位置に降ろした後、第１回動部材を連結ボルト回りに回動させて、ロックピンをロック用穴から抜き取り、各連節ブロックに対するブロック支持バーのロック状態を一度に解除して、各連節ブロックから吊具を外す工程と、
各連節ブロックの挿通孔に線状の連結部材を挿通して、各連節ブロックを連結する工程と、
を有することを特徴とする連節ブロックの施工方法。

【手続補正２】
【補正対象書類名】明細書
【補正対象項目名】０００６
【補正方法】変更
【補正の内容】
【０００６】
上記課題を解決するために、本発明の請求項１に係る連節ブロック用の吊具は、ブロック基礎部の上部に凸部が形成された形状をしている、単体で数十ｋｇの複数個の連節ブロックを一度に吊上げる吊具であって、
複数個の連節ブロックにおけるブロック基礎部の対向する前後の側面に開設された各挿通孔に差込まれる差込み部材を、内面に備える長尺な吊具本体と、
吊具本体の上面に立設され、吊上げワイヤーが掛止される左右一対の第１支柱と、
各々の第１支柱の上端に対し連結ボルトを介して回動自在に支持される第１回動部材と、
各々の第１回動部材の先端に水平支持される、長尺な円筒材からなるブロック支持バーと、
吊具本体の上面に立設され、上端に連結ボルトを介して第２回動部材を回動自在に支持する第２支柱と、
第２回動部材の先端に設けられ、前記ブロック支持バーの上面に開設されたロック用穴に挿入されて係止し、連節ブロックに対するブロック支持バーの支持状態をロックするロックピンとを具備してなり、
ブロック支持バーの、ロック用穴位置における回動軌跡の中心位置となる第１回動部材側の連結ボルトよりも、ロックピンの回動軌跡の中心位置となる第２回動部材側の連結ボルトが上方位置にあり、
複数個の連節ブロックの側面の各挿通孔に吊具本体の差込み部材を差込むと共に、第１回動部材を回動させて、各々の連節ブロックの、吊具本体と反対側のブロック基礎部の上部とその上部の凸部の側面に長尺な円筒材からなるブロック支持バーを当接させ、第２回動部材を回動させて、ブロック支持バーのロック用穴に対しロックピンを挿入して係止し、もって、各連節ブロックに対するブロック支持バーの支持状態をロックし、
同ロック状態で、複数個の連節ブロックを吊上げるように構成されていることを特徴とする。
【手続補正３】
【補正対象書類名】明細書
【補正対象項目名】０００７
【補正方法】変更
【補正の内容】
【０００７】
本発明の請求項２に係る連節ブロック用の吊具は、ブロック支持バーに対し連結部材の一端を、第２回動部材の途中に対し連結部材の他端を、各々掛止可能として、第２回動部材の、ロック部材のロック解除方向への回動に伴い、ブロック支持バーが引上げられる構成であることを特徴とする。
【手続補正４】
【補正対象書類名】明細書
【補正対象項目名】０００８
【補正方法】変更
【補正の内容】
【０００８】
本発明の請求項３に係る連節ブロックの施工方法は、請求項１記載の連節ブロックの吊具を用いて、
ブロック基礎部の上部に凸部が形成された形状をしている、単体で数十ｋｇの複数個の連節ブロックの側面の各挿通孔に吊具本体の差込み部材を差込むと共に、第１回動部材を回動させて、各々の連節ブロックの、吊具本体と反対側のブロック基礎部の上部とその上部の凸部の側面に長尺な円筒材からなるブロック支持バーを当接させ、しかる後、第２回動部材を回動させると共に、ブロック支持バーのロック用穴に対しロックピンを挿入して係止して、各連節ブロックに対するブロック支持バーの支持状態をロックする工程と、
同ロック状態で、複数個の連節ブロックを吊具と共に吊上げワイヤーで吊上げ、施工対象の法面の所定位置に搬送し、法面の所定位置に降ろした後、第１回動部材を連結ボルト回りに回動させて、ロックピンをロック用穴から抜き取り、各連節ブロックに対するブロック支持バーのロック状態を一度に解除して、各連節ブロックから吊具を外す工程と、
各連節ブロックの挿通孔に線状の連結部材を挿通して、各連節ブロックを連結する工程と、
を有することを特徴とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００２９
【補正方法】変更
【補正の内容】
【００２９】
同吊具１０は、ブロック支持バー１７の、ロック用穴２０位置における回動軌跡Ｋ１の中心位置Ｏ１となる第１回動部材１５側の連結ボルト１６よりも、ロックピン２１の回動軌跡Ｋ２の中心位置Ｏ２となる第２回動部材１８側の連結ボルト１９が上方位置にあるから、第２回動部材１８の先端のロックピン２１により、第１回動部材１５の先端のブロック支持バー１７の、引上げ方向（図８の時計回り方向）への回動が規制される。その結果、ロックピン２１をブロック支持バー１７のロック用穴２０に挿入するだけで、ブロック支持バー１７が引上げ不可にロックされ、図６に示す吊上げ時の、連節ブロック１に対する吊具本体１１とブロック支持バー１７の支持姿勢を確実にロックできる。